(57)【要約】      （修正有）【課題】樹脂成形体でなるフロントパネルに板金製のトップケースを組み付ける際の組立工程で、フロントパネルがトップケースを傷付けるという事態を回避することができる電気機器筐体を提供する。【解決手段】板金製トップケース１の下向き片の下端から前向きに突出した差込み片３を、フロントパネル５の裏側の隙間空間に斜め上方から差し込んだ後、下向き片２をフロントパネル５の上板部５１の端面５３に対して近付けて対峙させるという組立工程を経て組み立てられる電気機器筐体において、フロントパネル５の上板部５１の端面にリブ形の突起でなるスペーサを一体成形することより、フロントパネル５の上板部５１の端面５３にトップケース１のコーナ部１２などが接触しないようにする。【選択図】図１
0003107373.tif 000002
【実用新案登録請求の範囲】
【請求項１】
板金製トップケースの前端の左右のコーナ部の相互間箇所に曲成されている下向き片を、樹脂成形体でなるフロントパネルの上板部の端面に対峙させた形態で組み立てられている電気機器筐体において、
トップケースの上記下向き片の下端から前向きに突出された差込み片をフロントパネルの裏側に形成された隙間空間に斜め上方から差し込んだ後、上記下向き片を上記フロントパネルの上板部の端面に対して近付けて対峙させる組立工程を経て組み立てられ、その組立工程で、上記下向き片に当接することによってトップケースの上記下向き片及び左右の上記コーナ部がフロントパネルの上記上板部に接触することを防ぐスペーサが上記フロントパネルに備わり、
上記スペーサが、トップケースの左右の上記コーナ部が対峙されるフロントパネルの上板部の左右のコーナ部の近傍箇所でその上板部の端面に樹脂で一体成形されている左右一対のリブ形の突起でなり、それらの突起は、フロントパネルの厚さ方向に長く、かつ、上端の位置がフロントパネルの端面の上縁から下方へ離れた箇所に定められていると共に、フロントパネルの上記上板部の裏側にリブ状の後向き突片が設けられ、その後向き突片に形成した段付状の立上り部が上記下向き片を上記突起に押し付けていることを特徴とする電気機器筐体。
【請求項２】
板金製トップケースの前端の左右のコーナ部の相互間箇所に曲成されている下向き片を、樹脂成形体でなるフロントパネルの上板部の端面に対峙させた形態で組み立てられている電気機器筐体において、
上記フロントパネルの上板部の端面に対して上記トップケースの下向き片を近付けて対峙させる組立工程で、その下向き片に当接することによってそのトップケースの左右の上記コーナ部がフロントパネルの上記上板部に接触することを防ぐスペーサが上記フロントパネルに備わっていることを特徴とする電気機器筐体。
【請求項３】
上記スペーサが、フロントパネルの上記上板部の端面に突設された突起でなる請求項２に記載した電気機器筐体。
【請求項４】
上記スペーサが、上記トップケースの左右の上記コーナ部が対峙されるフロントパネルの上板部の左右のコーナ部の近傍箇所でその上板部の端面に突設された左右一対の突起でなる請求項２に記載した電気機器筐体。
【請求項５】
スペーサを形成している上記突起が、フロントパネルの厚さ方向に長く形成されていて、その突起の上端の位置がフロントパネルの端面の上縁から下方へ離れた箇所に定められている請求項３又は請求項４に記載した電気機器筐体。
【請求項６】
上記トップケースが、上記下向き片の下端から前向きに突出した差込み片を備えていて、上記組立工程に、上記差込み片をフロントパネルの上記上板部の裏側の空間に斜め上方から差し込む操作が含まれている請求項２ないし請求項５のいずれか１項に記載した電気機器筐体。
【考案の詳細な説明】
【技術分野】
【０００１】
本考案は、電気機器筐体、特に、樹脂製のフロントパネルと板金製のトップケースとを備えていて、フロントパネルに対してトップケースを組み付けることによって組み立てられる電気機器筐体に関する。
【背景技術】
【０００２】
図５はこの種の電気機器筐体、具体的にはＤＶＤドライブの筐体の要部を示した概略平面図である。同図において、１は板金製のトップケース、５は樹脂成形体でなるフロントパネルであり、両者を組み付けた状態では、図示のようにトップケース１の前端のコーナ部１２とフロントパネル５の上板部５１のコーナ部５２とが重なり合っている。なお、図例では左側のコーナ部１２，５２同士が重なり合っている状態を示しているけれども、右側のコーナ部同士も同様の形態で重なりあっている。また、トップケース１の前端の左右のコーナ部の相互間箇所には、図６に示したように、下向き片２とその下向き片２の下端から前向きに突出された差込み片３とが備わっていて、両者を組み付けた状態では、同図（ｆ）のように、下向き片２がフロントパネル５の上板部５１の端面５３に接触した状態で対峙しているか、又は、微小な隙間を形成して対峙している。
【０００３】
一方、フロントパネル５にトップケース１を組み付ける手順は、図６（ａ）〜（ｆ）に示した手順で行われる。すなわち、同図（ａ）（ｂ）のように、トップケース１側の差込み片３をフロントパネル５の上板部５１の端面５３に斜め上方から近付けていき、同図（ｃ）のように上板部５１の背部からその裏側の空間Ｓに斜め上方から差し込む。この差込み操作を行うと、同図（ｄ）及び図７に示した拡大図のように、トップケース１の下向き片２やコーナ部１２（図５参照）がフロントパネル５の上板部５１の端面５３又はその上縁５４に突き当たるので、その突き当たり箇所を支点として同図（ｄ）に矢印イで示したようにトップケース１を下方に回転させながら押し下げることにより、同図（ｅ）のようにトップケース１を水平に姿勢変更して下向き片２を上板部５１の端面５３に対して近付けて対峙させる。最後に（ｆ）の矢印ロのようにトップケース１を下方に押し込んでその上面をフロントパネル５の上板部５１の上面に合わせる。
【０００４】
図６で説明した事例では、フロントパネル５の上板部５１の裏側にリブ状の後向き突片５５が設けられていて、この後向き突片５５に段付状の立上り部５６が形成されている。そして、同図（ｆ）のようにトップケース１がフロントパネル５に対して組み付けられたときには、トップケース１の下向き片２が上記立上り部５６により上板部５１の端面５３に押し付けられるようにして上板部５１の端面５３と下向き片２との間の隙間をできるだけ形成させないようにしてある（隙間詰め作用）。
【０００５】
そのため、図６（ｄ）の矢印イのように上記突き当たり箇所を支点としてトップケース１を下方に回転させながら押し下げるときや、同図（ｆ）の矢印ロのようにトップケース１を下方に押し込むときなどに、トップケース１の下向き片２やコーナ部１２（図５参照）がフロントパネル５の上板部５１の端面５３又はその上縁５４に比較的強く押し付けられたり強く擦れたりする。このような傾向は、上記した後向き突片５５を備えたフロントパネル５にトップケース１を組み付ける場合において、上板部５１の裏側の空間Ｓが上板部５１と後向き突片５５との間に形成される微小な隙間空間となるためにいっそう強く現れる。
【０００６】
一方、ケーシングのトップカバーの取り付け構造として、金属製のトップカバーの前部に下向きの折曲部とその折曲部から前方に折曲した折り返し爪とを形成し、その折り返し爪をシャーシの前板に形成した係止孔に係止させるものが提案されている（特許文献１参照）。また、電子機器の前面パネルにその裏面から後方へ延びるワイヤ保護カバーを設け、この保護カバーの上面に形成した溝形部分にトップカバーの下向きの前端エッジを嵌め込んだ構造も提案されている（特許文献２参照）。さらに、液晶表示装置を組み立てる際に、液晶表示モジュールを配置した金属製の下ケース２に対して、上ケースをその端部を支点とする回転操作を通じて組み付けるという組立方法も提案されている（特許文献３参照）。
【特許文献１】特開２００１−１９６７５７号公報
【特許文献２】特開２００１−２２３４７３号公報
【特許文献３】特開２００１−１０８９７３号公報
【考案の開示】
【考案が解決しようとする課題】
【０００７】
図６で説明した手順に準じてフロントパネル５にトップケース１が組み付けられる従来の電気機器筐体では、同図（ｃ）で説明した差込み操作を行うとき、あるいは、同図（ｄ）で説明したフロントケース１の回転押下げ操作や同図（ｆ）で説明したフロントケース１の押込み操作を行うときに、板金製のトップケース１の下向き片２やコーナ部１２（図５参照）が樹脂成形体でなるフロントパネル５の上板部５１の端面５３又はその上縁５４に突き当たったり擦れ合ったりするので、フロントパネル５の上板部５１の端面５３や上縁５４が傷付けられるという事態の起こるおそれがあった。特に、上記した隙間詰め作用を発揮させるためにフロントパネル５に立上り部５６を備える後向き突片５５が設けられているものではそのような事態の起こるおそれが大きかった。そして、組立工程でフロントパネル５の上板部５１が傷付くという事態が発生すると、その程度によっては傷付き箇所が目立って商品価値が低下したり、場合によってはフロントパネル５の交換を余儀なくされるということになる。
【０００８】
これに対し、特許文献１によって提案されている技術は、金属製のフロントパネルに金属製のトップカバーを組み付けることに関連する技術であり、組立工程でトップカバーがフロントパネルを傷付けることを防ぐための手段については何も記載されていない。特許文献２によって提案されている技術は、トップカバーの組付け時にその前端エッジが筐体内のワイヤーハーネスを傷付けることを防ぐことを意図しているだけであるので、上記特許文献１の場合と同様に組立工程でトップカバーがフロントパネルを傷付けることを防ぐための手段については何も記載されていない。さらに、特許文献３に記載されている技術は、液晶表示装置の大画面化を図るために機械的強度を増大させることに関連する技術であって、特許文献１や同文献２の場合と同様に組立工程でトップカバーがフロントパネルを傷付けることを防ぐための手段については何も記載されていない。
【０００９】
本考案は以上の状況の下でなされたものであり、板金製トップケースの前端の左右のコーナ部の相互間箇所に曲成されている下向き片を、樹脂成形体でなるフロントパネルの上板部の端面に対峙させた形態で組み立てられている電気機器筐体において、その組立工程でフロントパネルがトップケースによって傷付けられるという事態をできるだけ起こらなくすることのできる電気機器筐体を提供することを目的とする。
【００１０】
また、本考案は、上記組立工程に、冒頭で説明したところの、トップケース側の差込み片の差込み操作や、その差込み操作を行った後のフロントケースの回転押下げ操作や押込み操作が含まれる場合であっても、それらの操作を不都合なく行うことができるものでありながら、トップケースの下向き片やコーナ部がフロントパネルの上板部の端面に接触したり擦れ合ったりしてフロントパネルを傷付けるという事態をできるだけ起こらなくすることのできる電気機器筐体を提供することを目的とする。
【課題を解決するための手段】
【００１１】
本考案に係る電気機器筐体は、板金製トップケースの前端の左右のコーナ部の相互間箇所に曲成されている下向き片を、樹脂成形体でなるフロントパネルの上板部の端面に対峙させた形態で組み立てられている電気機器筐体において、上記フロントパネルの上板部の端面に対して上記トップケースの下向き片を近付けて対峙させる組立工程で、その下向き片に当接することによってそのトップケースの上記下向き片及び左右の上記コーナ部がフロントパネルの上記上板部に接触することを防ぐスペーサが上記フロントパネルに備わっている。この構成であれば、上記組立工程でトップケースの下向き片がフロントパネルのスペーサに当接することによってその上板部に接触することが阻止されるので、上板部にトップケースの下向き片や左右のコーナ部が当接して上板部が傷付くという事態が起こり得ない。
【００１２】
本考案では、上記スペーサが、フロントパネルの上記上板部の端面に突設された突起でなることが望ましく、特に、上記スペーサが、上記トップケースの左右の上記コーナ部が対峙されるフロントパネルの上板部の左右のコーナ部の近傍箇所でその上板部の端面に突設された左右一対の突起でなることが望ましい。この構成であれば、スペーサをフロントパネルと共に樹脂で一体成形することが可能である。そして、スペーサとしての突起が、上板部の左右のコーナ部の近傍箇所で端面に突設されているものでは、トップケースの下向き片は勿論、左右のコーナ部がフロントパネルの上板部の端面に当接することが有効に防止される。
【００１３】
本考案では、スペーサを形成している上記突起が、フロントパネルの厚さ方向に長く形成されていて、その突起の上端の位置がフロントパネルの端面の上縁から下方へ離れた箇所に定められていることが望ましい。これによれば、フロントパネルにトップケースを組み付けた後に、スペーサとしての突起が外観上見えにくくなる。そのため、仮にその突起が傷付いていても、その傷が目立って全体の外観が見苦しくなるということにはならない。
【００１４】
本考案では、上記トップケースが、上記下向き片の下端から前向きに突出した差込み片を備えていて、上記組立工程に、上記差込み片をフロントパネルの上記上板部の裏側の空間に斜め上方から差し込む操作が含まれている、という構成を採用することが可能であり、これによっても、トップケースの組立工程でフロントパネルが傷付くことがなくなる。
【００１５】
本考案に係る電気機器筐体は、次の構成を採用することによっていっそう具体化される。すなわち、板金製トップケースの前端の左右のコーナ部の相互間箇所に曲成されている下向き片を、樹脂成形体でなるフロントパネルの上板部の端面に対峙させた形態で組み立てられている電気機器筐体において、トップケースの上記下向き片の下端から前向きに突出された差込み片をフロントパネルの裏側に形成された隙間空間に斜め上方から差し込んだ後、上記下向き片を上記フロントパネルの上板部の端面に対して近付けて対峙させる組立工程を経て組み立てられ、その組立工程で、上記下向き片に当接することによってトップケースの上記下向き片及び左右の上記コーナ部がフロントパネルの上記上板部に接触することを防ぐスペーサが上記フロントパネルに備わり、上記スペーサが、トップケースの左右の上記コーナ部が対峙されるフロントパネルの上板部の左右のコーナ部の近傍箇所でその上板部の端面に樹脂で一体成形されている左右一対のリブ形の突起でなり、それらの突起は、フロントパネルの厚さ方向に長く、かつ、上端の位置がフロントパネルの端面の上縁から下方へ離れた箇所に定められていると共に、フロントパネルの上記上板部の裏側にリブ状の後向き突片が設けられ、その後向き突片に形成した段付状の立上り部が上記下向き片を上記突起に押し付けている、という構成を採用することによっていっそう具体化される。この考案による作用は後述する実施形態を参照して詳細に説明する。
【考案の効果】
【００１６】
以上のように、本考案によれば、フロントパネルにトップケースを組み付ける際の組立工程でフロントパネルがトップケースによって傷付けられるという事態が回避されるので、組み立てられた筐体の商品価値が低下したり、組立後に傷付いたフロントパネルの交換を強いられるという事態が発生しなくなるだけでなく、樹脂成形体でなるフロントパネルを傷付けることなくトップケースを組み付ける作業を迅速にかつ容易に行うことができるようになって組立性が改善される。
【００１７】
特に、フロントパネルに後向き突片が設けられているために、組立工程に冒頭で説明した差込み片の差込み操作や、その差込み操作を行った後のフロントケースの回転押下げ操作や押込み操作が含まれる場合であっても、それらの操作を不都合なく行うことができるものでありながら、トップケースの下向き片やコーナ部がフロントパネルの上板部の端面に接触したり擦れ合ったりしてフロントパネルを傷付けるという事態が起こりにくくなり、フロントパネルが傷付いて不良品が発生するという事態が極力回避されるという効果が奏される。
【考案を実施するための最良の形態】
【００１８】
図１は本考案に係る電気機器筐体の要部の概略平面図、図２はフロントパネル５の要部の概略斜視図、図３（Ａ）はトップケースの要部の平面図、同（Ｂ）はトップケースの要部の正面図、同（Ｃ）はトップケースのコーナ部を示した概略斜視図、図４（ａ）（ｂ）は作用説明図である。
【００１９】
図１に示した電気機器筐体において、板金製のトップケース１を樹脂成形体でなるフロントパネル５に組み付けた状態では、図示のように、トップケース１の前端とフロントパネル５の上板部５１の端面５３との間にスペーサ７が介在されていて、そのスペーサ７の厚さに見合う微小な隙間がトップケース１の前端とフロントパネル５の上板部５１の端面５３との間に形成されている。また、トップケース１の前端のコーナ部１２とフロントパネル５の上板部５１のコーナ部５２とがスペーサ７の厚さに見合う微小な隙間を隔てて対峙している。なお、図１では左側のコーナ部１２，５２同士が重なり合っている状態を示しているけれども、右側のコーナ部同士も同様の形態で重なりあっている。
【００２０】
トップケース１の構成やフロントパネル５の構成は図６などを参照して説明したものと同様である。すなわち、図３に示したようにトップケース１の前端の左右のコーナ部の相互間箇所には、下向き片２とその下向き片２の下端から前向きに突出された差込み片３とが備わっているのに対し、図２に示したようにフロントパネル５には、上板部５１の裏側にリブ状の後向き突片５５が設けられていて、この後向き突片５５に段付状の立上り部５６が具備されている。そして、図１のようにトップケース１がフロントパネル５に対して組み付けられたときには、図４（ｂ）のようにトップケース１の下向き片２が上記立上り部５６によりスペーサ７に押し付けられて、下向き片２とフロントパネル５の上板部５１の端面５３とが微小な隙間を隔てて対峙している。
【００２１】
この実施形態において、スペーサ７は、図２に示したように、フロントパネル５の上板部５１の左右の各コーナ部５２の近傍箇所でその上板部５１の端面５３に樹脂で一体成形された左右一対のリブ形の突起でなる。そして、それらの突起は、フロントパネル５の厚さ方向Ｔに長く、かつ、上端７１の位置がフロントパネル５の端面５３の上縁５４から下方へ離れた箇所に定められている。
【００２２】
突起でなるスペーサ７を備えたフロントパネル５にトップケース１を組み付けるという組立工程は、図６で説明した従来より行われている手順に準じて行われる。したがって、その組立工程には、図６（ａ）（ｂ）を参照して説明したところの、トップケース１側の差込み片３をフロントパネル５の上板部５１の端面５３に斜め上方から近付けていく操作や、図６（ｃ）を参照して説明したところの上板部５１の背部からその裏側の空間Ｓに斜め上方から差し込むという差込み操作が行われる。
【００２３】
そして、この実施形態では、フロントパネル５の上板部５１の端面５３にリブ状の突起でなるスペーサ７が備わっているので、上記した差込み操作を行うと、図４（ａ）のように、トップケース１の下向き片２又はエッジ状に形成されているコーナ部１２（図３（Ｃ）参照）が突起でなる上記スペーサ７に突き当たり、下向き片２やコーナ部１２が上板部５１の端面５３や端縁５４に接触しなくなる。したがって、図７（ｄ）を参照して説明したところの、トップケース１を下方に回転させながら押し下げるという回転押下げ操作が、トップケース１の下向き片２又はエッジ状のコーナ部１２と突起でなるスペーサ７との突き当たり箇所を支点として行われるようになる。また、図７（ｅ）を参照して説明したところの、トップケース１を水平に姿勢変更するという操作や、水平に姿勢変更されたトップケース１を下方に押し込んでその上面をフロントパネル５の上板部５１の上面に合わせるという押込み操作でも、下向き片２やコーナ部１２が上板部５１の端面５３や端縁５４に接触することはない。そのため、樹脂成形体でなるフロントパネル５に板金製のトップケース１のコーナ部１２や下向き片２が接触してそのフロントパネル５の上板部５１が傷付くと事態が起こらない。そして、上記押込み操作を行うと、図４（ｂ）のように、トップケース１の下向き片２が上記立上り部５６によりスペーサ７に押し付けるという隙間詰め作用が発揮される。
【００２４】
この実施形態では、突起でなるスペーサ７をリブ形に形成してあるけれども、突起の形状はリブ形に限定されない。たとえば、円柱状や角柱状であっても半球状であってもよい。また、スペーサ７をフロントパネル５の上板部５１の左右の各コーナ部５２の近傍箇所でその上板部５１の端面５３に形成してあるけれども、この点は、上板部５１の端面５３の左右の各コーナ部５２の近傍箇所に加えてその中間部の１箇所又は複数箇所に形成してよい。そして、突起でなるスペーサ７を設ける箇所には、上板部５１の左右の各コーナ部５２の近傍箇所が含まれていることが望ましく、そのような箇所に突起でなるスペーサ７を設けおくことによって、組立工程で、図３（Ｃ）に示したようなトップケース１のエッジ状のコーナ部１２がフロントパネル５の上板部５１の端面５３やその上縁５４に接触する可能性が極端に少なくなるという利点がある。
【００２５】
また、図２に現れているように、突起でなるスペーサ７の上端７１の位置がフロントパネル５の上板部５１の端面５３の上縁５４から下方へ離れた箇所に定められていると、図１のようにフロントパネル５にトップケース１を組み付けた状態では、そのスペーサ７が両者の間に形成される微小隙間内に凹入した位置に配備されることになるので、スペーサ７が外観上は見えなくなったり見えにくくなったりして筐体全体の外観が良好に保たれる。
【図面の簡単な説明】
【００２６】
【図１】本考案に係る電気機器筐体の要部の概略平面図である。
【図２】フロントパネルの要部の概略斜視図である。
【図３】（Ａ）はトップケースの要部の平面図、（Ｂ）はトップケースの要部の正面図、（Ｃ）はトップケースのコーナ部を示した概略斜視図である。
【図４】（ａ）（ｂ）は共に作用説明図である。
【図５】ＤＶＤドライブの筐体の要部を示した概略平面図である。
【図６】（ａ）〜（ｆ）はフロントパネルにトップケースを組み付ける手順を示した説明図である。
【図７】図６（ｄ）の要部を拡大した説明図である。
【符号の説明】
【００２７】
１  トップケース
２  下向き片
３  差込み片
５  フロントパネル
７  スペーサ
１２  トップケースのコーナ部
５１  上板部
５３  上板部の端面
５５  後向き突片
５６  立上り部
Ｓ  空間（隙間空間）
【図１】
0003107373.tif 000003
【図２】
0003107373.tif 000004
【図３】
0003107373.tif 000005
【図４】
0003107373.tif 000006
【図５】
0003107373.tif 000007
【図６】
0003107373.tif 000008
【図７】
0003107373.tif 000009